(57)【要約】      （修正有）【課題】外部力の影響に対する保護を強化し、物品表面に対してＲＦＩＤインレットを離隔できるＲＦＩＤラベルシートを提供する。【解決手段】ＲＦＩＤラベルシート１１におけるラベル上紙１２に、一端側で、裏面にＲＦＩＤインレット１３を保持して粘着剤層１５を設け、立設させるためのインレット貼付領域１２Ａと、インレット貼付領域１２Ａに隣接して同じ裏面で物品に貼着させるための粘着剤層１５を設けた物品貼着領域１２Ｂと、物品貼着領域１２Ｂに隣接され、立設させたインレット貼付領域１２Ａに対して所定形状の内部空間２１を形成させて折り曲げ、その端部を当該立設させたインレット貼付領域１２ＡのＲＦＩＤインレット側の上記粘着剤層１５に貼付させるための空間形成インレット保護領域１２Ｃと、を形成させる構成とする。【選択図】図２
2010117959.tif 000002
【特許請求の範囲】
【請求項１】
物品に貼付されることで当該物品に関する情報について非接触でリーダライタと通信可能とされるＲＦＩＤラベルシートであって、
基材上にアンテナ部及びＩＣチップで構成されるＩＣモジュールが形成されるＲＦＩＤインレットを備えるラベル上紙と、
前記ラベル上紙における裏面側の一部に設けられる粘着剤層と、
を少なくとも備え、
上記ラベル上紙には、一端側で裏面に前記ＲＦＩＤインレットを保持して前記粘着剤層が設けられた領域であり、立設させるためのインレット貼付領域と、当該インレット貼付領域に隣接して同じ裏面に前記物品に貼着させるための前記粘着剤層が設けられる物品貼着領域と、当該物品貼着領域に隣接され、上記立設させたインレット貼付領域に対して所定形状の内部空間を形成させて折り曲げ、その端部を当該立設させたインレット貼付領域におけるＲＦＩＤインレット側の上記粘着剤層に貼付させるための空間形成インレット保護領域と、が形成されることを特徴とするＲＦＩＤラベルシート。
【請求項２】
請求項１記載のＲＦＩＤラベルシートであって、さらに、前記ラベル上紙の前記空間形成インレット保護領域に隣接させて所定情報を表示させる表示領域が一体で設けられることを特徴とするＲＦＩＤラベルシート。
【請求項３】
請求項１記載のＲＦＩＤラベルシートであって、さらに、前記ラベル上紙の前記インレット貼付領域と物品貼着領域との間に、所定情報を表示させる表示領域が一体で設けられることを特徴とするＲＦＩＤラベルシート。
【請求項４】
請求項１〜３の少なくとも何れかに記載のＲＦＩＤラベルシートから作製されるＲＦＩＤラベルであって、少なくとも、前記ＲＦＩＤインレットを立設状態とさせ、当該ＲＦＩＤインレットが、前記ラベル上紙の前記インレット貼付領域と前記所定形状の内部空間を形成させて折り曲げた前記空間形成インレット保護領域の一部とで挾持された形態とされることを特徴とするＲＦＩＤラベル。
【発明の詳細な説明】
【技術分野】
【０００１】
本発明は、ＲＦＩＤ（Ｒａｄｉｏ  Ｆｒｅｑｕｅｎｃｙ  Ｉｄｅｎｔｉｆｉｃａｔｉｏｎ）を物品に貼り付けてリーダライタと非接触で通信を行わせるためのＲＦＩＤラベルシート及びＲＦＩＤラベルに関する。
【背景技術】
【０００２】
近年、ＲＦＩＤと称される非接触型ＩＣメディアに関する技術が急速に進歩してきており、搭載されるＩＣチップが小型かつ安価になってきている。このＲＦＩＤは、基材にアンテナ部となるアンテナパターンを形成してＩＣチップを搭載したインレットと称されるものを他のベース基材に貼着されることなどにより作製され、当該他のベース基材に粘着剤が塗布されることでＲＦＩＤラベルとされる。このようなＲＦＩＤラベルは、物品に貼り付けられ、リーダライタとの非接触の通信により物品管理等に利用されるが、貼り付けられる物品の表面が金属等の場合の通信障害を回避させる必要がある。
【０００３】
従来、ＲＦＩＤラベルを通信障害の生じ易い金属等の物品に貼付させる場合、ＲＦＩＤインレットを金属表面より離隔すればするほど通信障害を回避させ易いことが知られており、そのためのＲＦＩＤラベルが種々提案されている。例えば、ＲＦＩＤラベルを金属表面物品に貼付させる際に、ＲＦＩＤインレットの部分を単独で折り立てることや（特許文献１）、ＲＦＩＤインレットの部分と物品の金属表面との間に空間領域を形成させるように折った形状とさせることや（特許文献２，３）、また、ＲＦＩＤラベルシートを中空四角柱に折り込んで立設させること（特許文献４）が提案されている。
【０００４】
【特許文献１】特開２００７−１２２５４２号公報
【特許文献２】特開２００７−１６４３９９号公報
【特許文献３】特開２００７−２６４８６８号公報
【特許文献４】特開２００７−１７２３６９号公報
【発明の開示】
【発明が解決しようとする課題】
【０００５】
しかしながら、特許文献１〜４のように、ＲＦＩＤインレット部分を折り立てたり、立設させたりすることや、物品表面との間に空間領域を設けることは外部からの力によって潰れることがあって、例えばＲＦＩＤインレットのＩＣチップに衝撃を与えることともなりかねず、そのため物品を重ねることや隙間なく並べることができないという問題がある。
【０００６】
そこで、本発明は上記課題に鑑みなされたもので、外部力の影響に対する保護強化を図り、物品表面に対してＲＦＩＤインレットを離隔させる新たな形態とさせるＲＦＩＤラベルシート及びＲＦＩＤラベルを提供することを目的とする。
【課題を解決するための手段】
【０００７】
上記課題を解決するために、請求項１の発明では、物品に貼付されることで当該物品に関する情報について非接触でリーダライタと通信可能とされるＲＦＩＤラベルシートであって、基材上にアンテナ部及びＩＣチップで構成されるＩＣモジュールが形成されるＲＦＩＤインレットを備えるラベル上紙と、前記ラベル上紙における裏面側の一部に設けられる粘着剤層と、を少なくとも備え、上記ラベル上紙には、一端側で裏面に前記ＲＦＩＤインレットを保持して前記粘着剤層が設けられた領域であり、立設させるためのインレット貼付領域と、当該インレット貼付領域に隣接して同じ裏面に前記物品に貼着させるための前記粘着剤層が設けられる物品貼着領域と、当該物品貼着領域に隣接され、上記立設させたインレット貼付領域に対して所定形状の内部空間を形成させて折り曲げ、その端部を当該立設させたインレット貼付領域におけるＲＦＩＤインレット側の上記粘着剤層に貼付させるための空間形成インレット保護領域と、が形成される構成とする。
【０００８】
請求項２、３の発明では、「さらに、前記ラベル上紙の前記空間形成インレット保護領域に隣接させて所定情報を表示させる表示領域が一体で設けられる」構成であり、
「さらに、前記ラベル上紙の前記インレット貼付領域と物品貼着領域との間に、所定情報を表示させる表示領域が一体で設けられる」構成である。
【０００９】
請求項４の発明では、請求項１〜３の少なくとも何れかに記載のＲＦＩＤラベルシートから作製されるＲＦＩＤラベルであって、少なくとも、前記ＲＦＩＤインレットを立設状態とさせ、当該ＲＦＩＤインレットが、前記ラベル上紙の前記インレット貼付領域と前記所定形状の内部空間を形成させて折り曲げた前記空間形成インレット保護領域の一部とで挾持された形態とされる構成とする。
【発明の効果】
【００１０】
本発明によれば、ＲＦＩＤラベルシートにおけるラベル上紙に、一端側で裏面にＲＦＩＤインレットを保持して粘着剤層を設け、立設させるためのインレット貼付領域と、インレット貼付領域に隣接して同じ裏面に物品に貼着させるための粘着剤層を設けた物品貼着領域と、物品貼着領域に隣接され、上記立設させたインレット貼付領域に対して所定形状の内部空間を形成させて折り曲げ、その端部を上記立設させたインレット貼付領域におけるＲＦＩＤインレット側の上記粘着剤層に貼付させるための空間形成インレット保護領域と、を形成させる構成とし、また、ＲＦＩＤラベルシートから作製されるＲＦＩＤラベルを、少なくとも、ＲＦＩＤインレットを立設状態とさせ、当該ＲＦＩＤインレットがラベル上紙のインレット貼付領域と所定形状の内部空間を形成させて折り曲げた空間形成インレット保護領域の一部とで挾持された形態とさせる構成とすることにより、基本的にＲＦＩＤインレットを立設させて物品に貼着させることで物品表面と離隔させることができ、ＲＦＩＤインレットがラベル上紙のインレット貼付領域と空間形成インレット保護領域の一部とで挾持された形態とさせることから、ＲＦＩＤインレットの外部力の影響に対する保護を強化させることができると共に、立設状態のＲＦＩＤインレットが外部力で押しつぶされにくくさせることができ、押しつぶされても元に戻りやすくさせることができるものである。
【発明を実施するための最良の形態】
【００１１】
以下、本発明の最良の実施形態を図により説明する。本発明では、物品への貼付以前の形態をＲＦＩＤラベルシートと称し、物品に貼付させるための形態をＲＦＩＤラベルと称する。
【００１２】
図１に、本発明に係るＲＦＩＤラベルシートの第１実施形態の構成図を示す。図１（Ａ）、（Ｂ）において、ＲＦＩＤラベルシート１１は、ラベル上紙１２がＲＦＩＤインレット１３を備える。ＲＦＩＤインレット１３は、アンテナ部及びＩＣチップで構成されるＩＣモジュールが形成されたもので従前のものと同様のものである。例えば、ＲＦＩＤインレット１３を、基材にアンテナ部を導電性インキで印刷により形成し、当該アンテナ部の端部にＩＣチップを実装させ、他の基材を貼り付けることによってＲＦＩＤインレット１３を備えるラベル上紙１２としたものであるが、上記他の基材を貼り付けない形態であってもよい。当該ラベル上紙１２は、その材質として紙類の他にフィルム材を含む概念である。
【００１３】
また、上記ラベル上紙１２は、インレット貼付領域１２Ａ、物品貼着領域１２Ｂ及び空間形成インレット保護領域１２Ｃがそれぞれ第１折り線１４Ａ及び第２折り線１４Ｂで区分けられる。上記インレット貼付領域１２Ａは、当該ラベル上紙１２の一端側で裏面に粘着剤層１５が塗布されてその上にＲＦＩＤインレット１３が貼着されて保持され、第１折り線１４Ａにより区分けされた領域であり、後に当該第１折り線１４Ａで折り曲げられて立設させるためのものである。実際的には、ＲＦＩＤインレット１３は最初後述の剥離紙１６上に粘着剤で貼付され、後に粘着剤層１５に貼着されるもので、当該剥離紙１６が剥離されたときには粘着剤層１５に貼着された形となる。
【００１４】
上記物品貼着領域１２Ｂは、当該インレット貼付領域１２Ａに隣接して当該第１折り線１４Ａ及び第２折り線１４Ｂで区分けされ、同じ裏面に物品に貼着させるための粘着剤層１５が当該インレット貼付領域１２Ａと同一面で、例えば同一工程で塗布されて設けられて形成される。上記第１折り線１４Ａ及び第２折り線１４Ｂは、例えばミシン線、レーザ光によるハーフカット線により形成される。
【００１５】
上記空間形成インレット保護領域１２Ｃは、上記物品貼着領域１２Ｂに隣接して第２折り線１４Ｂで区分けされ、上記第１折り線１４Ａで立設させたインレット貼付領域１２Ａに対して所定形状の内部空間を形成させて折り曲げ（図２で説明する）、その端部を当該立設させたインレット貼付領域１２ＡにおけるＲＦＩＤインレット１３側の粘着剤層１５に貼付させるためのものである。
【００１６】
そして、ラベル上紙１２の裏面の一部に設けられた粘着剤層１５に剥離紙１６が貼着される。当該剥離紙１６としては、剥離剤層が塗布された紙類やフィルム材で形成される。
【００１７】
そこで、図２に、図１のＲＦＩＤラベルシートを物品に貼付させる形態のＲＦＩＤラベルの説明図を示す。まず、図２（Ａ）に示すように、ＲＦＩＤラベルシート１１のラベル上紙１２に形成されたインレット貼付領域１２Ａを、剥離紙１６より剥離させて第１折り線１４Ａで立設させる。そうすると、ＲＦＩＤインレット１３が保持された面であって、粘着剤層１５が設けられた面が表出される。
【００１８】
続いて、図２（Ｂ）、（Ｃ）に示すように、ラベル上紙１２における空間形成インレット保護領域１２Ｃを、第２折り線１４Ｂで例えば湾曲形状の内部空間を形成させながら折り曲げてその端部を当該立設させたインレット貼付領域１２ＡにおけるＲＦＩＤインレット１３側の上記表出された粘着剤層１５に貼付させる。
【００１９】
これによって、ＲＦＩＤインレット１３を立設状態とさせ、当該ＲＦＩＤインレット１３が、ラベル上紙１２のインレット貼付領域１２Ａと湾曲形状の内部空間を形成させて折り曲げた空間形成インレット保護領域１２Ｃの一部（インレット貼付領域１２Ａに貼付させた部分）とで挾持された形態とされるものである。
【００２０】
そして、図２（Ｄ）に示すように、剥離紙１６を剥離してＲＦＩＤラベル１１Ａとさせ、金属表面等の物品（図示せず）に、ラベル上紙１２の物品貼着領域１２Ｂの裏面で表出された粘着剤層１５により貼付させるものである。
【００２１】
このように、基本的にＲＦＩＤインレット１３を立設させて物品に貼着させることで物品表面と離隔させることができ、ＲＦＩＤインレット１３をラベル上紙１２のインレット貼付領域１２Ａと空間形成インレット保護領域１２Ｃの一部とで挾持された形態とさせることから、ＲＦＩＤインレット１３の外部力の影響に対する保護を強化させることができる。また、立設状態のＲＦＩＤインレット１３が外部力で押しつぶされにくくさせることができ、仮に押しつぶされても元に戻りやすくさせることができるものである。
【００２２】
次に、図３及び図４に、本発明に係るＲＦＩＤラベルシートにおける第１実施形態の他の構成図を示す。図３（Ａ）、（Ｂ）において、ＲＦＩＤラベルシート１１におけるラベル上紙１２の空間形成インレット保護領域１２Ｃに第３折り線１４Ｃを設けて空間領域部１２Ｃ１と保護領域部１２Ｃ２としたものである。
【００２３】
このようなＲＦＩＤラベルシート１１において、図３（Ｃ）に示すように、インレット貼付領域１２Ａを、剥離紙１６より剥離させて第１折り線１４Ａで立設させ、ラベル上紙１２における空間形成インレット保護領域１２Ｃの空間領域部１２Ｃ１を、第２折り線１４Ｂで折り曲げ、さらに保護領域部１２Ｃ２を第３折り部１４Ｃで折り曲げて三角形状の内部空間２１を形成させながらその端部を当該立設させたインレット貼付領域１２ＡにおけるＲＦＩＤインレット１３側の上記表出された粘着剤層１５に貼付させる。
【００２４】
そして、剥離紙１６を剥離してＲＦＩＤラベル１１Ａとさせ、金属表面等の物品（図示せず）に、ラベル上紙１２の物品貼着領域１２Ｂの裏面で表出された粘着剤層１５により貼付させることは上記同様である。
【００２５】
また、図４（Ａ）、（Ｂ）において、ＲＦＩＤラベルシート１１におけるラベル上紙１２の空間形成インレット保護領域１２Ｃに第３折り線１４Ｃ及び第４折り線１４Ｄを設けて第１空間領域部１２Ｃ１、第１空間領域部１２Ｃ３、保護領域部１２Ｃ２としたものである。
【００２６】
このようなＲＦＩＤラベルシート１１において、図４（Ｃ）に示すように、インレット貼付領域１２Ａを、剥離紙１６より剥離させて第１折り線１４Ａで立設させ、ラベル上紙１２における空間形成インレット保護領域１２Ｃの第１空間領域部１２Ｃ１を、第２折り線１４Ｂで折り曲げ、また第２空間領域部１２Ｃ３を第３折り線１４Ｃで折り曲げ、さらに保護領域部１２Ｃ２を第４折り線１４Ｄで折り曲げて四角形状の内部空間２１を形成させながらその端部を当該立設させたインレット貼付領域１２ＡにおけるＲＦＩＤインレット１３側の上記表出された粘着剤層１５に貼付させる。
【００２７】
そして、剥離紙１６を剥離してＲＦＩＤラベル１１Ａとさせ、金属表面等の物品（図示せず）に、ラベル上紙１２の物品貼着領域１２Ｂの裏面で表出された粘着剤層１５により貼付させることは上記同様である。
【００２８】
図３及び図４の形態によっても、ＲＦＩＤインレット１３を立設状態とさせ、当該ＲＦＩＤインレット１３が、ラベル上紙１２のインレット貼付領域１２Ａと三角形状や四角形状の内部空間を形成させて折り曲げた空間形成インレット保護領域１２Ｃにおける保護領域部１２Ｃ２の一部（インレット貼付領域１２Ａに貼付させた部分）とで挾持された形態とされることから、上記同様に、ＲＦＩＤインレット１３の外部力の影響に対する保護を強化させることができる。また、立設状態のＲＦＩＤインレット１３が外部力で押しつぶされにくくさせることができ、仮に押しつぶされても元に戻りやすくさせることができるものである。
【００２９】
なお、上記実施形態においては、内部空間を湾曲形状、三角形状、四角形状とした場合を示したが、それら形状に限らず、上記インレット貼付領域１２Ａを立設させるための空間領域が形成されれば足りるものである。
【００３０】
次に、図５に本発明に係るＲＦＩＤラベルシートの第２実施形態の構成図を示す。この第２実施形態は図１及び図２の形態を元にして説明するが、図４及び図５の形態においても適用することができるものである。図５（Ａ）、（Ｂ）において、ＲＦＩＤラベルシート１１は、図１の空間形成インレット保護領域１２Ｃに、一体に第４折り線１４Ｅを介して所定情報を表示させる表示領域１２Ｄを隣接させて設けたものであり、他の構成は図１と同様である。
【００３１】
このようなＲＦＩＤラベルシート１１は、図５（Ｃ）に示すように、インレット貼付領域１２Ａを、剥離紙１６より剥離させて第１折り線１４Ａで立設させ、ラベル上紙１２における空間形成インレット保護領域１２Ｃを、第２折り線１４Ｂで物品貼着領域１２Ｂ側に折り曲げる。その際に、さらに表示領域１２Ｄを第４折り線１４Ｅで上記空間形成インレット保護領域１２Ｃとは逆方向に折り曲げ、当該空間形成インレット保護領域１２Ｃを湾曲形状の内部空間を形成させながら当該空間形成インレット保護領域１２Ｃの端部（表示領域１２Ｄと隣接する部分）を当該立設させたインレット貼付領域１２ＡにおけるＲＦＩＤインレット１３側の上記表出された粘着剤層１５に貼付させる。
【００３２】
このとき、表示領域１２Ｄは、インレット貼付領域１２Ａ部分から延出された形態となる。この表示領域１２Ｄには、その裏面（ＲＦＩＤインレット１３の貼付側）に予め、例えば貼着させる物品の情報等が印刷される。そして、剥離紙１６を剥離してＲＦＩＤラベル１１Ａとさせ、金属表面等の物品（図示せず）に、ラベル上紙１２の物品貼着領域１２Ｂの裏面で表出された粘着剤層１５により貼付させることによって、表示領域１２Ｄに表示された情報が表出される状態、すなわち視認状態となるものである。
【００３３】
このように、表示領域１２Ｄにおいても一体的に形成することができ、当該表示領域１２Ｄに印刷された情報によってＲＦＩＤラベル１１Ａの使用の際の利便性を提供することができるものである。
【００３４】
次に、図６に、本発明に係るＲＦＩＤラベルシートの第３実施形態の構成図を示す。この第３実施形態は図３の形態を元にして説明するが、図１及び図４の形態においても適用することができるものである。図６（Ａ）、（Ｂ）において、ＲＦＩＤラベルシート１１は、図３における物品貼着領域１２Ｂと、空間形成インレット保護領域１２Ｃとの間に、すなわち第２折り線１４Ｂと新たな第５折り線１４Ｆを介して、一体に、所定情報を表示させる表示領域１２Ｅを隣接させて設けたものであり、他の構成は図３と同様である。
【００３５】
このようなＲＦＩＤラベルシート１１は、図６（Ｃ）に示すように、インレット貼付領域１２Ａを、剥離紙１６より剥離させて第１折り線１４Ａで立設させ、ラベル上紙１２における表示領域１２Ｅを区分けしている第２折り線１４Ｂで物品貼着領域１２Ｂ側に完全に折り曲げ、空間形成インレット保護領域１２Ｃ（空間領域部１２Ｃ１）を第５折り線１４Ｆで表示領域部１２Ｅ側に折り曲げ、さらに、保護領域部１２Ｃ２を第３折り部１４Ｃで折り曲げて三角形状の内部空間２１を形成させながらその端部を当該立設させたインレット貼付領域１２ＡにおけるＲＦＩＤインレット１３側の上記表出された粘着剤層１５に貼付させる。
【００３６】
このとき、表示領域１２Ｅは、物品貼着領域１２Ｂ上であって、ＲＦＩＤインレ ット１３が貼付された反対側に設けられた形態となる。この表示領域１２Ｅには、その裏面（ＲＦＩＤインレット１３の貼付側）に予め、上記同様の貼着させる物品の情報が印刷される。そして、剥離紙１６を剥離してＲＦＩＤラベル１１Ａとさせ、金属表面等の物品（図示せず）に、ラベル上紙１２の物品貼着領域１２Ｂの裏面で表出された粘着剤層１５により貼付させることによって、表示領域１２Ｅに表示された情報が視認状態で表出される状態となるものである。
【００３７】
このように、表示領域１２Ｅにおいても一体的に形成することができ、当該表示領域１２Ｅに印刷された情報によってＲＦＩＤラベル１１Ａの使用の際の利便性を提供することができるものである。
【産業上の利用可能性】
【００３８】
本発明のＲＦＩＤラベルシート及びＲＦＩＤラベルは、物品管理等のために物品情報が担持されるラベルの製造、使用に利用可能である。
【図面の簡単な説明】
【００３９】
【図１】本発明に係るＲＦＩＤラベルシートの第１実施形態の構成図である。
【図２】図１のＲＦＩＤラベルシートを物品に貼付させる形態のＲＦＩＤラベルの説明図である。
【図３】本発明に係るＲＦＩＤラベルシートにおける第１実施形態の他の構成図（１）である。
【図４】本発明に係るＲＦＩＤラベルシートにおける第１実施形態の他の構成図（２）である。
【図５】本発明に係るＲＦＩＤラベルシートの第２実施形態の構成図である。
【図６】本発明に係るＲＦＩＤラベルシートの第３実施形態の構成図である。
【符号の説明】
【００４０】
１１            ＲＦＩＤラベルシート
１１Ａ          ＲＦＩＤラベル
１２            ラベル上紙
１２Ａ          インレット貼付領域
１２Ｂ          物品貼着領域
１２Ｃ          空間形成インレット保護領域
１２Ｄ，１２Ｅ  表示領域
１３            ＲＦＩＤインレット
１４            折り線
１５            粘着剤
１６            剥離紙
２１            内部空間
【図１】
2010117959.tif 000003
【図２】
2010117959.tif 000004
【図３】
2010117959.tif 000005
【図４】
2010117959.tif 000006
【図５】
2010117959.tif 000007
【図６】
2010117959.tif 000008